(57)【要約】【課題】製作及び施工作業が容易であって、ベース材の寸法変化や変形に対する適応性にも優れた敷居材を提供する。【解決手段】敷居材１０は、建築物の敷居設置領域の床材１１上に配置されるベース材１２の凹溝部１３に着脱可能に収容される引き戸移動用溝部１４と、引き戸移動用溝部１４とともに凹溝部１３内に収容された状態で凹溝部１３の左右の内側面１５にそれぞれ係脱可能に当接する左右一対のリブ状弾性係合部１６と、ベース材１２の左右上面部１７を覆うため引き戸移動用溝部１４両側の上縁部１４ａ，１４ａからその拡幅方向へそれぞれ延設されたカバー部１８，１９と、を備えている。また、カバー部１８，１９はベース材１２と隣接する床面材２０との境界部Ｔ及びこれらの床面材２０の上面の一部を覆うように延設されている。【選択図】図３
2011001706.tif 000002
【特許請求の範囲】
【請求項１】
建築物の敷居設置領域に配置されるベース材の凹溝部に着脱可能に収容される引き戸移動用溝部と、前記引き戸移動用溝部とともに前記凹溝部内に収容された状態で前記凹溝部の内面に係脱可能に当接する弾性係合部と、少なくとも前記ベース材の上面部を覆うため前記引き戸移動用溝部両側の上縁部からその拡幅方向へ延設されたカバー部と、を備えたことを特徴とする敷居材。
【請求項２】
前記弾性係合部として、前記カバー部の下面から前記引き戸移動用溝部の深さ方向に垂下状に形成されたリブ状弾性係合部を設けた請求項１記載の敷居材。
【発明の詳細な説明】
【技術分野】
【０００１】
本発明は、建築物内の洗面所あるいは洋間や和室などの居室の出入口に設けられる引き戸の下縁部をガイドするレールを取り付けるために床面に配置される敷居材に関する。
【背景技術】
【０００２】
一般に建築物内の各所に設けられる引き戸の下縁部直下の床面には、引き戸の下縁部をガイドする敷居材が配置されている。この敷居材は建築物の施工工事中に取り付けられることが多いため、工事関係者が通過したり、建築資材を搬入したりする際に敷居材が汚損されたり、傷つけられたりすることがある。また、建築物完成後においても、家具や大型家電製品の搬入の際に敷居材が傷つけられたり、長期間にわたる引き戸の開閉や居住者の通過の反復により、敷居材が摩耗したり、劣化したりすることが多い。
【０００３】
そこで、建築物の施工中に損傷したり、長期の使用によって敷居が摩耗したりした場合でも、表面部だけを取り替えることにより、簡単に新品同様とすることが可能な敷居が提案されている（例えば、特許文献１参照。）。特許文献１記載の敷居は、ベース部材と、該ベース材上に設けられ、かつ、該ベース材の幅以上の幅を有するカバー部材によって構成されるとともに、該カバー部材は、該ベース部材上で長手方向略全長に亘って着脱自在に装着される。
【先行技術文献】
【特許文献】
【０００４】
【特許文献１】特開２００２−３３９６６０号公報
【発明の概要】
【発明が解決しようとする課題】
【０００５】
特許文献１記載の敷居においては、カバー部材の裏面に長手方向全長に亘って突設された複数の係止部をそれぞれ嵌入させるために、ベース部材の表面の長手方向全長に亘って複数の嵌入溝を凹設しなければならず、これらの係止部をそれぞれ嵌入溝に適正に嵌入させるためには、各部分のサイズや配列間隔などについて高い寸法精度を必要とするため、製作が面倒である。
【０００６】
また、前記カバー部材を前記ベース部材に装着する際には、カバー部材裏面の引き戸摺動用の溝部をベース部材の凹部に嵌入させる作業に加え、カバー部材裏面に突設された複数列の係止部を、ベース部材表面の複数列の嵌入溝にそれぞれ正確に嵌入させなければならないので、施工に多大な手間を要する。
【０００７】
さらに、長期の使用によって摩耗したカバー部材を取り替える場合、素材の経年変化によってベース部材の凹部や嵌入溝が変形したり、膨張あるいは収縮したりしていると、新品のカバー部材が適正に装着できないことがある。
【０００８】
本発明が解決しようとする課題は、製作及び施工作業が容易であって、ベース材の凹溝部の寸法変化や変形に対する適応性にも優れた敷居材を提供することにある。
【課題を解決するための手段】
【０００９】
本発明の敷居材は、建築物の敷居設置領域に配置されるベース材の凹溝部に着脱可能に収容される引き戸移動用溝部と、前記引き戸移動用溝部とともに前記凹溝部内に収容された状態で前記凹溝部の内面に係脱可能に当接する弾性係合部と、少なくとも前記ベース材の上面部を覆うため前記引き戸移動用溝部両側の上縁部からその拡幅方向へ延設されたカバー部と、を備えたことを特徴とする。
【００１０】
このような構成とすれば、ベース材に形成された凹溝部内に、引き戸移動用溝部とともに弾性係合部を収容するだけで敷居材を適正に配置することができるため、施工作業が簡単である。また、ベース材に形成された１本の凹溝部内へ引き戸移動用溝部とともに収容されたときに前記凹溝部の内面に当接するように弾性係合部を設ければ良く、前記凹溝部の内面と弾性係合部との距離のバラツキがあっても弾性係合部の弾性変形により対応可能であるため、高度な寸法精度は必要でなく、製作は容易であり、凹溝部の寸法変化や変形に対する適応性も優れている。
【００１１】
また、前記弾性係合部として、前記カバー部の下面から前記引き戸移動用溝部と平行に形成されたリブ状弾性係合部を設けることが望ましい。
【００１２】
このような構成とすれば、ベース材に形成された凹溝部内に、引き戸移動用溝部とともにリブ状弾性係合部を収容するだけで、リブ状弾性係合部が凹溝部内面の長手方向に沿って当接した状態となるため、当該敷居材の製作容易性及びベース材に対する着脱性を阻害することなく、保持機能を向上させることができる。
【発明の効果】
【００１３】
本発明により、製作及び施工作業が容易であって、ベース材の寸法変化や変形に対する適応性にも優れた敷居材を提供することができる。
【図面の簡単な説明】
【００１４】
【図１】本発明の実施形態である敷居材の一部を示す斜視図である。
【図２】図１に示す敷居材の施工手順を示す垂直断面図である。
【図３】図１に示す敷居材の施工手順を示す垂直断面図である。
【図４】図１に示す敷居材の施工完了後の状態を示す垂直断面図である。
【図５】図１に示す敷居材の施工完了後の状態を示す一部省略平面図である。
【発明を実施するための形態】
【００１５】
以下、図面に基づいて本発明の実施形態について説明する。図１，図２及び図３に示すように、本実施形態の敷居材１０は、建築物の敷居設置領域の床材１１上に配置されるベース材１２の凹溝部１３に着脱可能に収容される引き戸移動用溝部１４と、引き戸移動用溝部１４とともに凹溝部１３内に収容された状態で凹溝部１３の左右の内側面１５にそれぞれ係脱可能に当接する左右一対のリブ状弾性係合部１６と、ベース材１２の左右上面部１７を覆うため引き戸移動用溝部１４両側の上縁部１４ａ，１４ａからその拡幅方向へそれぞれ延設されたカバー部１８，１９と、を備えている。
【００１６】
図３に示すように、カバー部１８，１９はベース材１２と隣接する床面材２０との境界部Ｔ及びこれらの床面材２０の上面の一部を覆うように延設されている。また、一方のカバー部１８の幅１８ｗは、他方のカバー部１９の幅１９ｗより大きく形成されている。
【００１７】
一対のリブ状弾性係合部１６は、引き戸移動用溝部１４の外側面１４ｂとの間に隙間Ｓを隔てた状態で、カバー部１８，１９の下面から垂下状に形成されている。リブ状弾性係合部１６は、引き戸移動用溝部１４の長手方向と平行をなすように形成され、それぞれの外側面（ベース材１２の凹溝部１３の内側面１５との対向面）には、複数の凸条１６ａが当該リブ状弾性係合部１６の長手方向に沿って形成されている。これらの凸条１６ａは、凹溝部１３の左右の内側面１５に当接することによってリブ状弾性係合部１６のズレや離脱を防止するためのものである。
【００１８】
本実施形態においては、図２，図３に示すように、床材１１上に敷設された床面材２０の厚さ２０ｔとベース材１２の高さ１２ｈとは同等に設定され、敷居材１０のカバー部１８，１９下面から下方へ突設された引き戸移動用溝部１４及びリブ状弾性係合部１６の突出長さ１０ａはベース材１２の凹溝部１３の深さ１３ｄより小さく設定されているが、これに限定するものではないので、突出長さ１０ａと深さ１３ｄとを同等としてもよい。また、敷居材１０は弾性を有する合成樹脂で一体成形されている。
【００１９】
以上の構成としたことにより、図２，図３に示すように、ベース材１２に形成された凹溝部１３内に、敷居材１０の引き戸移動用溝部１４とともにリブ状弾性係合部１６を収容するだけで敷居材１０を適正に配置することができるため、施工作業は簡単である。また、施工中あるいは施工後に敷居材１０が汚損したり、損傷したり、摩耗したりした場合、敷居材１０を上方に引き上げれば、凹溝部１３から取り外すことができるため、取り替え作業も容易である。
【００２０】
また、ベース材１２に形成された１本の凹溝部１３内へ引き戸移動用溝部１４とともに収容されたときに凹溝部１３の内側面１５に当接するようにリブ状弾性係合部１６を設けているため、凹溝部１３の内側面１５とリブ状弾性係合部１６との距離のバラツキがあってもリブ弾性係合部１６の弾性変形により対応可能である。このため、敷居材１０において、高度な寸法精度は必要でなく、製作は容易であり、凹溝部１３の寸法変化や変形に対する適応性も優れている。
【００２１】
また、リブ状弾性係合部１６は、カバー部１８，１９の下面から引き戸移動用溝部１４の長手方向と平行に形成されているため、ベース材１２に形成された凹溝部１３内に、引き戸移動用溝部１４とともにリブ状弾性係合部１６を収容するだけで、リブ状弾性係合部１６が凹溝部１３の内側面１５の長手方向に沿って当接した状態となる。このため、敷居材１０の製作容易性及びベース材１２に対する着脱性を阻害することなく、優れた保持機能を発揮する。
【００２２】
図３に示すように、ベース材１２に敷居材１０を装着した後、図４に示すように、敷居材１０の引き戸移動用溝部１４内に、引き戸２２の戸車２３をガイドするためのレール２１を敷設すれば、施工が完了する。また、図５に示すように、敷居材１０を装着する領域の一部に、引き戸２２と平行な壁体２４が存在する場合、幅が広い方のカバー部１８の一部を壁体１４の形状に合わせた切欠部２５を設ければ、外観性の良い施工を行うことができる。
【産業上の利用可能性】
【００２３】
本発明の敷居材は、戸建て住宅や集合住宅などの各種建築物の資材として広く利用することができる。
【符号の説明】
【００２４】
１０  敷居材
１１  床材
１２  ベース材
１２ｈ  高さ
１３  凹溝部
１３ｄ  深さ
１４  引き戸移動用溝部
１４ａ  上縁部
１４ｂ  外側面
１５  内側面
１６  リブ状弾性係合部
１６ａ  凸条
１７  上面部
１８，１９  カバー部
２０  床面材
２０ｔ  厚さ
２１  レール
２２  引き戸
２３  戸車
２４  壁体
２５  切欠部
Ｓ  隙間
Ｔ  境界部
【図１】
2011001706.tif 000003
【図２】
2011001706.tif 000004
【図３】
2011001706.tif 000005
【図４】
2011001706.tif 000006
【図５】
2011001706.tif 000007